(57)【要約】      （修正有）【課題】高い気密性を有するフィルターデバイス及びフィルターシステムの提供。【解決手段】フィルターデバイス８００上、かつ少なくとも一側辺には、磁気素子５００が設けられ、フィルターデバイスは、フィルター１００と磁気固定装置２００とを備え、フィルター１００は、第１側壁１１０を含み、磁気固定装置２００は、本体と、挟持部と、磁気素子５００とを含み、本体は、頂部側縁と、底部側縁と、反対側に位置する第１側面及び第２側面３２２とを含み、挟持部は、頂部側縁から第１側面の面する方向へ第１距離だけ延びて形成された頂部フランジと、頂部フランジの外縁から底部側縁へ第２距離だけ延びたクリップとを含み、第１側壁１１０は、クリップと第１側面との間に挟設され、磁気素子５００は、第２側面３２２に設けられて、フィルターシステムは、フレーム９００とフィルターデバイスとを備える。【選択図】図１５
2020116571.tif 000002
【特許請求の範囲】
【請求項１】
フィルターデバイスであって、その上かつ少なくとも一側辺には、磁気素子が設けられているフィルターデバイス。
【請求項２】
第1側壁を含むフィルターと、
磁気固定装置であって、
反対側に位置する第1側面及び第2側面と、前記第1側面及び前記第2側面の対向する両辺に位置する頂部側縁及び底部側縁とを含む本体と、
前記頂部側縁から前記第1側面の面する方向へ第1距離だけ延びて形成された頂部フランジと、前記頂部フランジの外縁から前記底部側縁へ第2距離だけ延びたクリップとを含む挟持部であって、前記第1側壁は、前記クリップと前記第1側面との間に挟設されている挟持部と、
前記第2側面に設けられている前記磁気素子と、を含む磁気固定装置と、を備える
請求項1に記載のフィルターデバイス。
【請求項３】
前記第2距離は、前記本体の同方向における長さよりも小さい請求項2に記載のフィルターデバイス。
【請求項４】
前記クリップは、前記本体の長辺に沿って間隔を空けて設けられている請求項2に記載のフィルターデバイス。
【請求項５】
前記本体は、前記底部側縁から前記第1側面の面する方向へ延出する底部フランジをさらに含み、
前記フィルターは、前記第1側壁の前記第1側面に面する面に設けられている係合部材をさらに含み、前記係合部材は、前記頂部フランジと前記底部フランジとの間に係合されている
請求項2に記載のフィルターデバイス。
【請求項６】
前記第2側面には、凹部をさらに含み、前記磁気素子は、前記凹部に係合されている請求項2に記載のフィルターデバイス。
【請求項７】
前記磁気固定装置は、前記頂部側縁から前記第2側面の面する方向へ延びて形成された頂部凸条をさらに含み、前記凹部の一辺は、前記頂部凸条の底面によって形成される請求項6に記載のフィルターデバイス。
【請求項８】
前記磁気素子は、前記頂部側縁に近い位置に設けられている請求項2に記載のフィルターデバイス。
【請求項９】
前記磁気固定装置は、前記頂部側縁から前記第2側面の面する方向へ延びて形成された頂部凸条と、前記頂部凸条の外縁から前記底部側縁へ延び前記第2側面へ括れたガイド斜面とを含むガイド素子をさらに含む請求項2に記載のフィルターデバイス。
【請求項１０】
前記フィルターは、複数の波状構造を含み、前記波状構造の稜線は、前記第1側壁の延在方向と平行する請求項2に記載のフィルターデバイス。
【請求項１１】
前記磁気固定装置の前記フィルターに対する他側に設けられている支持部材をさらに備え、前記支持部材は、
前記磁気固定装置に向かう第3側面を含む板材と、
前記板材の前記第3側面の下縁に近い位置から前記フィルターへ延び前記磁気固定装置を越えて前記第1側壁を支持する支持部と、を含む
請求項2に記載のフィルターデバイス。
【請求項１２】
前記支持部材は、前記板材の前記第3側面とは反対側の面に設けられているスロットをさらに含み、
前記フレームの一側面には、前記スロットに対応して挿入可能な挿入シートを有する
請求項11に記載のフィルターデバイス。
【請求項１３】
内側が強磁性を有するフレームと、
請求項1乃至12のいずれか一項に記載のフィルターデバイスと、を備える
フィルターシステム。
【請求項１４】
積層可能である請求項13に記載のフィルターシステム。
【請求項１５】
前記フレームは、互いに係合可能な少なくとも1つの連結枠部材及び少なくとも1つの強磁性枠部材を含む請求項13に記載のフィルターシステム。
【請求項１６】
各連結枠部材及び各強磁性枠部材の頂側には、凹溝を有し、これらの連結枠部材及びこれらの強磁性枠部材のうちの一方の底側は、これらのうちの他方の前記凹溝に挿入可能である請求項15に記載のフィルターシステム。
【請求項１７】
少なくとも前記連結枠部材は、2つであり、前記2つの連結枠部材の一端は、それぞれ1つの前記強磁性枠部材の両端に設けられている請求項15に記載のフィルターシステム。
【請求項１８】
前記連結枠部材は、L形であり、前記強磁性枠部材は、長尺形である請求項17に記載のフィルターシステム。
【請求項１９】
前記2つの連結枠部材の間に設けられて前記2つの連結枠部材の前記強磁性枠部材に接続されている一端に対する他端に位置する固定板をさらに備える請求項17に記載のフィルターシステム。
【請求項２０】
少なくとも前記連結枠部材及び少なくとも前記強磁性枠部材は、いずれも2つである請求項15に記載のフィルターシステム。
【請求項２１】
2020116571.tif 000008
【請求項２２】
前記連結枠部材及び前記強磁性枠部材の接続端には、それぞれ対応するほぞが設けられており、前記連結枠部材と前記強磁性枠部材を対応して係合可能とする請求項15に記載のフィルターシステム。
【請求項２３】
前記フレームの内壁かつ底部寄りには、固定凹溝がさらに設けられており、固定部材を前記固定凹溝に嵌め込むことでろ過シートを前記フレームに固定する請求項15に記載のフィルターシステム。
【請求項２４】
前記フレームは、
各々の両端にそれぞれ挿入口を有する複数の枠と、
前記複数の枠を接続する複数の接続部材とを含み、各接続部材は、
接続部材本体と、
前記接続部材本体の一側から外方に延出する第1挿入部と、
前記接続部材本体の他側から外方に延出し、前記第1挿入部と角度をなす第2挿入部と、を含み、
接続部材の前記第1挿入部及び前記第2挿入部がそれぞれ隣接する2つの枠の一端の前記挿入口に挿入されることで前記隣接する2つの枠を接続する
請求項13に記載のフィルターシステム。
【請求項２５】
各枠の頂側には、凹溝を有し、これらの枠のうちの一方の底側は、枠のうちの他方の前記凹溝に挿入可能である請求項15に記載のフィルターシステム。
【発明の詳細な説明】
【技術分野】
【０００１】
本発明は、フィルターデバイス及びフィルターシステムに関し、具体的には、クリーンルームの吸気口に架設されているフィルターデバイス及びフィルターシステムに関する。
【背景技術】
【０００２】
半導体製造業のような工業製造分野において、製品の歩留まりをさらに向上させるために、クリーンルームは、クリーンで汚染のない隔離環境で製品の生産製造を行うために広く用いられている。クリーンルームの環境要求を達成するためには、クリーンルームの吸気口に送風機及びろ過機器を架設し、送風機の駆動により空気流をろ過機器のフィルターに通過させてからクリーンルームに流入させることによって、ガス状浮遊汚染物質をろ過することが一般的である。
【０００３】
クリーンルームの吸気口に架設されているフィルターデバイスは、送風機による空気流の影響を受けて絶えず振動しやすい。この時、ろ過機器の枠体が内蔵されているフィルターとしっかりと結合することができなければ、ろ過されるべき気体がフィルターと枠体との隙間から漏れ、ろ過効果が不良となってしまう。なお、一般的に、枠体は、その大きさが一定であるので、使用における柔軟性が低い。また、フィルターデバイスは、一般的にアルミ押出の方式で製造されるので、縁に鋭い角や鋭いエッジが発生しやすく、組立時に作業者が怪我する可能性が増えてしまう。
【０００４】
これに鑑みて、本発明は、上記従来技術の欠点に対して、上記これらの問題を効果的に克服するために、フィルターデバイス及びフィルターシステムを提案する。
【発明の概要】
【０００５】
本発明の目的は、高い気密性を有するフィルターデバイス及びフィルターシステムを提供することにある。
【０００６】
本発明の他の目的は、フレームのサイズが必要に応じて変更可能であるフィルターデバイス及びフィルターシステムを提供することにある。
【０００７】
本発明の他の目的は、製造プロセスにおける作業者の怪我を低減可能であるフィルターデバイス及びフィルターシステムを提供することにある。
【０００８】
本発明のフィルターデバイス上かつ少なくとも一側辺には、磁気素子が設けられている。
【０００９】
本発明の実施例では、フィルターデバイスは、フィルターと磁気固定装置とを備える。フィルターは、第1側壁を含む。磁気固定装置は、本体と、挟持部と、磁気素子とを含む。本体は、頂部側縁と、底部側縁と、反対側に位置する第1側面及び第2側面とを含む。挟持部は、頂部側縁から第1側面の面する方向へ第1距離だけ延びて形成された頂部フランジと、頂部フランジの外縁から底部側縁へ第2距離だけ延びたクリップとを含み、第1側壁は、クリップと第1側面との間に挟設されている。磁気素子は、第2側面に設けられている。
【００１０】
本発明の実施例では、第2距離は、本体の同方向における長さよりも小さい。
【００１１】
本発明の実施例では、クリップは、本体の長辺に沿って間隔を空けて設けられている。
【００１２】
本発明の実施例では、本体は、底部側縁から第1側面の面する方向へ延出する底部フランジをさらに含む。フィルターは、第1側壁の第1側面に面する面に設けられている係合部材をさらに含み、係合部材は、頂部フランジと底部フランジとの間に係合されている。
【００１３】
本発明の実施例では、磁気固定装置は、第2側面に設けられている凹部をさらに含み、磁気素子は、凹部に係合されている。
【００１４】
本発明の実施例では、磁気固定装置は、頂部側縁から第2側面の面する方向へ延びて形成された頂部凸条をさらに含み、凹部の一辺は、頂部凸条の底面によって形成される。
【００１５】
本発明の実施例では、磁気素子は、頂部側縁に近い位置に設けられている。
【００１６】
本発明の実施例では、磁気固定装置は、頂部側縁から第2側面の面する方向へ延びて形成された頂部凸条と、頂部凸条の外縁から底部側縁へ延び第2側面へ括れたガイド斜面とを含むガイド素子をさらに含む。
【００１７】
本発明の実施例では、フィルターは、複数の波状構造を含み、波状構造の稜線は、第1側壁の延在方向と平行する。
【００１８】
本発明の実施例では、フィルターデバイスは、磁気固定装置のフィルターに対する他側に設けられている支持部材をさらに備え、支持部材は、板材と支持部とを含む。板材は、磁気固定装置に向かう第3側面を含む。支持部は、板材の第3側面の下縁に近い位置からフィルターへ延び磁気固定装置を越えて第1側壁を支持する。
【００１９】
本発明の実施例では、支持部材は、板材の第3側面とは反対側の面に設けられているスロットをさらに含み、フレームの一側面には、スロットに対応して挿入可能な挿入シートを有する。
【００２０】
本発明のフィルターシステムは、フレームと、前記フィルターデバイスとを備える。フレームの内側は、強磁性を有する。
【００２１】
本発明の実施例では、フィルターシステムは、積層可能である。
【００２２】
本発明の実施例では、フレームは、互いに係合可能な少なくとも1つの連結枠部材及び少なくとも1つの強磁性枠部材を含む。
【００２３】
本発明の実施例では、各連結枠部材及び各強磁性枠部材の頂側には、凹溝を有し、連結枠部材及び強磁性枠部材のうちの一方の底側は、連結枠部材及び強磁性枠部材のうちの他方の凹溝に挿入可能である。
【００２４】
本発明の実施例では、連結枠部材は、2つであり、2つの連結枠部材の一端は、それぞれ1つの強磁性枠部材の両端に設けられている。
【００２５】
本発明の実施例では、連結枠部材は、L形であり、強磁性枠部材は、長尺形である。
【００２６】
本発明の実施例では、フィルターシステムは、2つの連結枠部材の間に設けられて2つの連結枠部材の強磁性枠部材に接続されている一端に対する他端に位置する固定板をさらに備える。
【００２７】
本発明の実施例では、連結枠部材及び強磁性枠部材は、いずれも2つである。
【００２８】
2020116571.tif 000003
【００２９】
本発明の実施例では、連結枠部材及び強磁性枠部材の接続端には、それぞれ対応するほぞが設けられており、連結枠部材と強磁性枠部材を対応して係合可能とする。
【００３０】
本発明の実施例では、フレームの内壁かつ底部寄りには、固定凹溝がさらに設けられており、固定部材を固定凹溝に嵌め込むことでろ過シートをフレームに固定する。
【００３１】
本発明の実施例では、フレームは、複数の枠と複数の接続部材とを含む。各枠の両端には、それぞれ挿入口を有する。複数の接続部材は、複数の枠に接続されている。各接続部材は、接続部材本体と、第1挿入部と、第2挿入部とを含む。第1挿入部は、接続部材本体の一側から外方に延出する。第2挿入部は、接続部材本体の他側から外方に延出し、第1挿入部と角度をなす。接続部材の第1挿入部及び第2挿入部がそれぞれ隣接する2つの枠の一端の挿入口に挿入されることで隣接する2つの枠を接続する。
【００３２】
本発明の実施例では、各枠の頂側には、凹溝を有し、枠のうちの一方の底側は、枠のうちの他方の凹溝に挿入可能である。
【図面の簡単な説明】
【００３３】
【図１】本発明に係るフィルターシステムの実施例の模式図である。
【図２】本発明に係るフィルターシステムの実施例の組合せ模式図である。
【図３】本発明に係るフレームの実施例の分解模式図である。
【図４】本発明に係るフィルターシステムの別の実施例の模式図である。
【図５】本発明に係るフィルターシステムの別の実施例の組合せ模式図である。
【図６】本発明に係るフレームの別の実施例の分解模式図である。
【図７】本発明に係るフィルターシステムの別の実施例の模式図である。
【図８】本発明に係るフィルターシステムの別の実施例の分解模式図である。
【図９】本発明における磁気固定装置の実施例の模式図である。
【図１０】本発明におけるフィルターデバイスの実施例の斜視断面模式図である。
【図１１】本発明におけるフィルターデバイスの別の実施例の斜視断面模式図である。
【図１２】本発明におけるフィルターデバイスの別の実施例の斜視断面模式図である。
【図１３】本発明に係るフィルターシステムが積層される実施例の模式図である。
【図１４】本発明に係るフィルターシステムの別の実施例の模式図である。
【図１５】本発明に係るフィルターシステムの別の実施例の分解模式図である。
【発明を実施するための形態】
【００３４】
本発明のフィルターデバイスは、フレーム内に設けられている。さらには、フィルターデバイス及びフレームは、フィルターシステムを構成する。言い換えると、フィルターシステムは、フレームとフィルターデバイスとを備える。
【００３５】
より具体的には、図1及び図2に示す実施例のように、フィルターシステム1は、フレーム10とフィルターデバイス20とを備える。本実施例で例示したフレーム10は、矩形のフレームであり、フレーム10の内壁かつ底部寄りには、固定凹溝12がさらに設けられており、ゴム固定ストリップのような固定部材14を固定凹溝12に嵌め込むことでろ過シート16をフレーム10に固定し、ろ過シート16は、大顆粒のガス状浮遊汚染物質をろ過して除去するようになる。また、フレーム10内には、微小なガス状浮遊汚染物質をろ過して除去するためのフィルターデバイス20がさらに設けられてもよい。
【００３６】
2020116571.tif 000004
【００３７】
2020116571.tif 000005
【００３８】
図2に示す実施例のように、フレーム10内に設けられたフィルターデバイス20上かつ少なくとも一側辺には、磁気素子22が設けられており、磁気素子22は、磁石であってもよい。本実施例で例示したフィルターデバイス20の対向する両側には、それぞれ磁気素子22、22’が設けられており、フィルターデバイス20がフレーム10内に設けられている場合、フィルターデバイス20の磁気素子22、22’が設けられている両側は、フレーム10の2つの強磁性枠部材19、19’に対応して吸着されることができる。
【００３９】
上記から分かるように、本実施例のフィルターデバイス20とフレーム10との間の磁気の吸着により、フィルターデバイス20とフレーム10とを密着させることができ、ろ過されるべき空気がフィルターデバイス20とフレーム10との隙間から流出することを効果的に回避することができる以外に、本実施例のフレーム10が取外し可能なものであり、必要に応じて強磁性枠部材19、19’の長さを選択することができるので、フレーム10は、異なるサイズのフィルターデバイス20に適合するように、任意のサイズに変更されることができる。
【００４０】
2020116571.tif 000006
【００４１】
図4乃至図6に示す実施例のように、フレーム30は、2つの連結枠部材38、38’と1つの強磁性枠部材39とを含み、連結枠部材38、38’は、アルミ製の連結枠部材又はステンレス鋼製の連結枠部材であってもよく、2つの連結枠部材38、38’は、L形の連結枠部材であり、連結枠部材38の一端には、雌ほぞ382が設けられており、連結枠部材38’の一端には、雄ほぞ380’が設けられている。強磁性枠部材39は、鉄製の強磁性枠部材、ニッケル製の強磁性枠部材、又はコバルト製の強磁性枠部材であってもよく、本実施例で例示した強磁性枠部材39は、長尺形の強磁性枠部材であり、強磁性枠部材39の両端のいずれにも、雄ほぞ390及び雌ほぞ392がそれぞれ設けられている。強磁性枠部材39は、必要に応じて異なる長さのものに交換できる。
【００４２】
2020116571.tif 000007
【００４３】
図4及び図5に示す実施例のように、フレーム30内に設けられたフィルターデバイス40上かつ一側辺には、磁気素子42が設けられており、磁気素子42は、磁石であってもよい。フィルターデバイス40がフレーム30内に設けられている場合、フィルターデバイス40の磁気素子42が設けられている一側は、フレーム30の強磁性枠部材39に対応して吸着されることができる。また、2つの連結枠部材38、38’の間に設けられて2つの連結枠部材38、38’の強磁性枠部材39に接続されている一端に対する他端に位置する固定板44により、フィルターデバイス40をフレーム30に固定する。
【００４４】
上記から分かるように、本実施例のフィルターデバイス40とフレーム30との間の磁気の吸着により、フィルターデバイス40とフレーム30とを密着させることができ、ろ過されるべき空気がフィルターデバイス40とフレーム30との隙間から流出することを効果的に回避することができる以外に、本実施例のフレーム30が取外し可能なものであり、必要に応じて異なる長さの強磁性枠部材39を選択することができるので、本実施例のフレーム30は、様々なサイズのフィルターデバイス40に適合するように、任意のサイズに変更されることができる。
【００４５】
別の実施例では、フィルターデバイスは、設計、製造や使用上の考慮に基づいて様々に変化できる。図7及び図8に示す実施例のように、フィルターシステム1000は、フィルターデバイス800とフレーム900とを備える。フレーム900の内側901は、強磁性を有し、あるいは磁石に吸着可能である。フィルターデバイス800は、フィルター100と磁気固定装置200とを備える。フィルター100は、第1側壁110を含む。図9に示す実施例のように、磁気固定装置200は、本体300と、挟持部400と、磁気素子500とを含む。本体300は、頂部側縁311と、底部側縁312と、反対側に位置する第1側面321及び第2側面322とを含む。より具体的には、この実施例では、本体300は、長方形のシート状物であり、上下両側縁は、それぞれ頂部側縁311及び底部側縁312であり、対向する両側面は、それぞれ第1側面321及び第2側面322である。
【００４６】
図9に示す実施例のように、挟持部400は、頂部側縁311から第1側面321の面する方向301へ第1距離D1だけ延びて形成された頂部フランジ410と、頂部フランジ410の外縁から底部の側縁312へ第2距離D2だけ延びたクリップ420とを含む。第2距離D2は、本体300の同方向における長さよりも小さい。第1側壁110は、クリップ420と第1側面321との間に挟設されている。クリップ420は、本体300の長辺に沿って間隔を空けて設けられている。本体300は、第1側壁110を挟設しやすくするために、第1側壁110よりも大きい剛性を有してもよく、その材質が、例えばアクリロニトリル‐ブタジエン‐スチレン共重合体（Acrylonitrile  Butadiene  Styrene，ABS）であってもよい。
【００４７】
より具体的には、図10に示す実施例のように、フィルター100は、複数の波状構造130を含み、波状構造130の稜線131は、第1側壁110の延在方向と平行する。第1側壁110は、クリップ420と第1側面321との間に挿入されて挟持固定されることができる。別の角度で見ると、磁気固定装置200は、頂部フランジ410によって第1側壁110の頂端に跨って設けられている。挟持しやすくするためには、第1側壁110を適度に折りたたんで厚さを増加してもよく、図11に示すように、製造時にクリップ420と第1側面321との距離を第1側壁110の厚さとほぼ等しくさせてもよい。
【００４８】
別の実施例では、フィルター100は、磁気固定装置200が係合する部材をさらに追加してもよい。図12に示す実施例のように、フィルター100は、第1側壁110の第1側面321に面する面に設けられている係合部材140をさらに含む。本体300は、底部側縁から312第1側面321の面する方向へ延出する底部フランジ430をさらに含む。係合部材140は、頂部フランジ410と底部フランジ430との間に係合されている。係合部材140は、長方形のシートであることが好ましく、第1側壁110よりも硬い又は剛性を有するので、強固な係合関係を提供することができる。
【００４９】
図8に示す実施例のように、磁気素子500は、第2側面322に設けられており、内側901に対応して吸着されていることで、フィルター100とフレーム900との空隙を減少させ、気密性を向上させることができる。磁気固定装置200は、第2側面322に設けられている凹部450を含むことが好ましい。磁気素子500が凹部450に係合されているので、組立時の合わせを容易にして固着性を向上させるとともに、磁気固定装置200全体の厚さを減らす。別の実施例では、磁気素子500は、間隔を空けて設けられてもよく、全体として設けられてもよい。磁気固定装置200は、凹部450を設けず、他の方式で磁気素子500を第2側面322に設けてもいい。この実施例では、磁気固定装置200は、頂部側縁311から第2側面322の面する方向302へ延びて形成された頂部凸条461を含み、凹部450の一辺は、頂部凸条461の底面によって形成される。
【００５０】
磁気素子500は、磁気固定装置200をフィルター100とともに下向きにフレーム900に入れやすくするために、頂部側縁311に近い位置に設けられることが好ましい。上記した近いとは、例えば本体300の半分よりも高い位置又は約1／4の位置を広く指す。また、磁気固定装置200は、頂部側縁311から第2側面322の面する方向302へ第3距離D3だけ延びて形成された頂部凸条461と、頂部凸条461の外縁から底部の側縁312へ延び第2側面322へ括れたガイド斜面462とを含むガイド素子460をさらに含んでもよい。磁気固定装置200は、フィルター100とともにガイド素子460のガイド斜面462のガイドによって、下向きにスムーズにフレーム900に入ることができる。
【００５１】
図8及び図10に示す実施例のように、フィルターデバイス800は、磁気固定装置200のフィルター100に対する他側に設けられている支持部材600をさらに含む。支持部材600は、板材610と支持部620とを含む。板材610は、磁気固定装置200に向かう第3側面603を含む。支持部620は、板材610の第3側面603の下縁に近い位置からフィルター100へ延び磁気固定装置200を越えて第1側壁110を支持する。一実施例では、支持部材600は、板材610の第3側面603とは反対側の面に設けられているスロット630をさらに含み、フレーム910の一側面には、スロット630に対応して挿入可能な挿入シート903を有する。さらには、フレーム900のフレーム910は、挿入シート903がスロット630に挿入されることで支持部材600を固定し、さらに支持部材600の支持部620で第1側壁110を支持することにより、フレーム900でフィルター100を支持する。
【００５２】
フィルターシステムは、積層可能であることが好ましい。さらには、フィルターシステムは、例えばフレーム頂部の凹溝によって積層効果を達成することができる。より具体的には、図14に示す実施例のように、各枠910の頂側には、凹溝913を有し、フレーム910のうちの一方の底側は、フレーム910のうちの他方の凹溝913に挿入可能であり、フィルターシステム1000を積層することができる。これにより、使用における柔軟性を向上させることができ、例えば、異なるフィルターを採用するフィルターシステムを積層してろ過されるガス状浮遊汚染物質の種類を増加し、あるいは同じフィルターを採用するフィルターシステムを積層してろ過効果を向上させることができる。
【００５３】
図15に示す別の実施例のように、フレーム900は、複数の枠910と複数の接続部材920とを含む。各枠910の両端には、それぞれ挿入口912を有する。複数の接続部材920は、複数の枠910に接続されている。各接続部材920は、接続部材本体929と、第1挿入部921と、第2挿入部922とを含む。第1挿入部921は、接続部材本体929の一側から外方に延出する。第2挿入部922は、接続部材本体929の他側から外方に延出し、第1挿入部921と角度θをなす。角度θは、90°であることが好ましい。しかし、別の実施例では、使用、製造等の考慮に基づいて異なる角度を有してもよい。接続部材920の第1挿入部921及び第2挿入部922がそれぞれ隣接する2つの枠910の一端の挿入口912に挿入されることで隣接する2つの枠910を接続する。
【００５４】
一実施例では、フレーム910は、アルミ押出部材であるので、縁に鋭い角や鋭いエッジが発生しやすく、組立時に作業者が怪我する可能性が増えてしまう。例えば、高分子製の接続部材920を介して隣接する2つの枠910を接続することにより、鋭い角や鋭いエッジの露出を減少させ、作業者が怪我するリスクを低減させることができる。
【００５５】
上記に基づいて、本発明に係るフィルターデバイスは、磁気吸着により、フィルターが外枠から分離することを減少し、全体の気密性を向上させることができる。市販のフィルターは、磁気固定装置を設けることにより、側壁に磁気があるフィルターデバイスを直接的に構成することができる。ここで使用される接続部材は、フレームにおける鋭い角や鋭いエッジの露出を減少させ、作業者が怪我するリスクを低減させることができる。一方、フィルターシステムは、積層可能であるので、使用における柔軟性を向上させることができる。
【００５６】
上記の説明及び図面により既に本発明の好ましい実施例を開示したが、各種の追加、多くの変更および置換が本発明の好ましい実施例に使用可能であり、添付する特許請求の範囲によって限定されるような本発明の原理の精神及び範囲を逸脱することがないことを理解しなければならない。当業者は、本発明が多くの形式、構造、配置、割合、材料、部品および部材の変更に使用可能であることが分かる。したがって、本明細書に開示した実施例は、本発明を制限するためのものではなく、本発明を説明するためのものと見なされるべきである。本発明の範囲は、以下に添付する特許請求の範囲によって限定されるべきであり、その合法的な均等物を含み、以上の説明に限らない。
【符号の説明】
【００５７】
1 : フィルターシステム
3 : フィルターシステム
10 : フレーム
12 : 固定凹溝
14 : 固定部材
16 : ろ過シート
18 : 連結枠部材
18’ : 連結枠部材
19 : 強磁性枠部材
19’ : 強磁性枠部材
20 : フィルターデバイス
22 : 磁気素子
22’ : 磁気素子
30 : フレーム
32 : 固定凹溝
34 : 固定部材
36 : ろ過シート
38 : 連結枠部材
38’ : 連結枠部材
39 : 強磁性枠部材
40 : フィルターデバイス
42 : 磁気素子
100 : フィルター
110 : 第1側壁
130 : 波状構造
131 : 稜線
140 : 係合部材
180 : 雄ほぞ
180’ : 雄ほぞ
182 : 雌ほぞ
182’ : 雌ほぞ
190 : 雄ほぞ
192 : 雌ほぞ
200 : 磁気固定装置
300 : 本体
301 : 方向
311 : 頂部側縁
312 : 底部側縁
321 : 第1側面
322 : 第2側面
380’ : 雄ほぞ
382 : 雌ほぞ
390 : 雄ほぞ
392 : 雌ほぞ
400 : 挟持部
410 : 頂部フランジ
420 : クリップ
430 : 底部フランジ
450 : 凹部
460 : ガイド素子
461 : 頂部凸条
462 : ガイド斜面
500 : 磁気素子
600 : 支持部材
603 : 第3側面
610 : 板材
620 : 支持部
630 : スロット
800 : フィルターデバイス
900 : フレーム
901 : 内側
903 : 挿入シート
910 : 枠
912 : 挿入口
913 : 凹溝
920 : 接続部材
921 : 第1挿入部
922 : 第2挿入部
929 : 接続部材本体
D1 : 第1距離
D2 : 第2距離
D3 : 第3距離
θ : 角度
【図１】
2020116571.tif 000009
【図２】
2020116571.tif 000010
【図３】
2020116571.tif 000011
【図４】
2020116571.tif 000012
【図５】
2020116571.tif 000013
【図６】
2020116571.tif 000014
【図７】
2020116571.tif 000015
【図８】
2020116571.tif 000016
【図９】
2020116571.tif 000017
【図１０】
2020116571.tif 000018
【図１１】
2020116571.tif 000019
【図１２】
2020116571.tif 000020
【図１３】
2020116571.tif 000021
【図１４】
2020116571.tif 000022
【図１５】
2020116571.tif 000023